(57)【要約】【課題】隣地との間隔が狭い敷地であっても、能率よく施工でき、雨漏り等の不具合が発生しない狭地建築工法を提供する。【解決手段】建物の基礎Ｂを施工する基礎工事工程と、建物の左右のフレーム１を基礎Ｂに本来の建て幅よりも狭い位置で仮据付けする仮据付け工程と、左右のフレーム１に、窓枠２の取付け、ＡＬＣ３の取付け、ＡＬＣ間のコーキング４および塗装を含む側壁工事を行う側壁仕上げ工程と、側壁工事を終えた左右の側壁１０を、基礎Ｂ上において本来の建て幅位置へ移動させる側壁移動工程と、移動を終えた左右の側壁１０を基礎Ｂ上に据付ける本据付け工程とを含む。仮据付け工程で、本来の建て幅よりも狭く左右のフレームを建てるので、隣地との間が狭くても作業員が体ごとフレームに対面して側壁仕上げ工程が実施できる。このため、窓枠の取付けやＡＬＣの取付け、コーキングなどをしっかり施工できるので、施工不良が生じない。【選択図】図１
2010285744.tif 000002
【特許請求の範囲】
【請求項１】
建物の基礎を施工する基礎工事工程と、
建物の左右のフレームを前記基礎に本来の建て幅よりも狭い位置で仮据付けする仮据付け工程と、
前記左右のフレームに、窓枠の取付け、ＡＬＣの取付け、ＡＬＣ間のコーキングおよび塗装を含む側壁工事を行う側壁仕上げ工程と、
前記側壁工事を終えた左右の側壁を、前記基礎上において本来の建て幅位置へ移動させる側壁移動工程と、
移動を終えた左右の側壁を前記基礎上に据付ける本据付け工程とを含む
ことを特徴とする狭地建築工法。
【請求項２】
前記仮据付け工程では、左右のフレームを基礎に対し取外し可能に固定し、左右のフレーム間を仮止め棒で仮固定する
ことを特徴とする請求項１記載の狭地建築工法。
【請求項３】
前記側壁仕上げ工程では、窓枠の取付け、ＡＬＣの取付け、ＡＬＣ間のコーキング、塗装の順で行う
ことを特徴とする請求項１記載の狭地建築工法。
【発明の詳細な説明】
【技術分野】
【０００１】
本発明は、狭地建築工法に関する。さらに詳しくは、上地が狭く隣地の建物との間が狭い、いわゆる狭地に建物を建築する狭地建築工法に関する。
【背景技術】
【０００２】
狭地建築工法に関する従来例として、つぎの２点がある。
特許文献１の従来工法は、狭隘な建築現場であっても、容易に施工できるＡＬＣパネルの構造と外壁パネルの取付け工法である。
この従来工法１では、ＡＬＣパネル１を取付け金具で鉄骨躯体２に取付けて外壁を構成し、ＡＬＣパネル１を１枚取付ける度に前記バックアップ材１１の外側にシーリング材９を充填するＡＬＣパネル１の取付けるようにしている。
【０００３】
特許文献２の従来工法は、隣りの建物と密接して建築する場合であっても、建物間の狭隘（きょうあい）空間での施工が可能とする工法である。
この従来工法２では、車輪支持片８ａと天片８ｂ、側片８ｃ及び起立片８ｄを有するレール部材８が外壁パネル１を取付ける上梁材２に着脱可能に接合され、外壁パネル１を吊り下げた吊り下げ治具14の車輪９がレール部材８の空間内部に収容された状態で該レール部材８の下辺の両側の車輪支持片８ａ上に跨って走行する。レール部材８には建物前面道路側の作業用空地まで突出した導入用レール部材13が延長して取付けられている。そのため、建物内側からの作業で外壁パネルを所定の位置まで吊り下げ搬送し建物躯体に固定することができる。
【０００４】
しかるに上記従来工法では、つぎの欠点がある。
すなわち、特許文献１の従来工法では、ＡＬＣパネルを１枚づつ取付けるものの、作業員が１枚のＡＬＣパネルの端に立って、手だけを伸ばしてシーリング材を充填しなければならない。この場合、作業員の眼は手元を側方から見ていることになり正面から視認できないし、充填に必要な力も充分に加えられない。このためシーリングが不十分となって、後から雨漏り等の不具合が生じやすい等の欠陥がある。
特許文献２の従来工法では、レール部材を使うので施工が大がかりになるという欠点がある。また、パネル同士の間のシーリングは作業員が横から手を伸ばして行うので、特許文献１の場合と同じ理由で雨漏り等の不具合が生じやすいという欠点がある。
【先行技術文献】
【特許文献】
【０００５】
【特許文献１】特開２００１−９０２３６号公報
【特許文献２】特開２００６−１９３８９１号公報
【発明の概要】
【発明が解決しようとする課題】
【０００６】
本発明は上記事情に鑑み、隣地との間隔が狭い敷地であっても、能率よく施工でき、雨漏り等の不具合が発生しない狭地建築工法を提供することを目的とする。
【課題を解決するための手段】
【０００７】
第１発明の狭地建築工法は、建物の基礎を施工する基礎工事工程と、建物の左右のフレームを前記基礎に本来の建て幅よりも狭い位置で仮据付けする仮据付け工程と、前記左右のフレームに、窓枠の取付け、ＡＬＣの取付け、ＡＬＣ間のコーキングおよび塗装を含む側壁工事を行う側壁仕上げ工程と、前記側壁工事を終えた左右の側壁を、前記基礎上において本来の建て幅位置へ移動させる側壁移動工程と、移動を終えた左右の側壁を前記基礎上に据付ける本据付け工程とを含むことを特徴とする。
第２発明の狭地建築工法は、第１発明において、前記仮据付け工程では、左右のフレームを基礎に対し取外し可能に固定し、左右のフレーム間を仮止め棒で仮固定することを特徴とする。
第３発明の狭地建築工法は、第１発明において、前記側壁仕上げ工程では、窓枠の取付け、ＡＬＣの取付け、ＡＬＣ間のコーキング、塗装の順で行うことを特徴とする。
【発明の効果】
【０００８】
第１発明によれば、仮据付け工程で、本来の建て幅よりも狭く左右のフレームを建てるので、隣地との間が狭くても作業員が体ごとフレームに対面して側壁仕上げ工程が実施できる。このため、窓枠の取付けやＡＬＣの取付け、コーキングなどをしっかり施工できるので、施工不良が生じない。側壁の仕上げ工事が完了すると、本来の建て幅に移動させて、残りの工事を実行するので、狭地であっても地面一杯に広げた建物を建築できる。
第２発明によれば、仮据付工程では、左右のフレームが基礎に対し取外し可能であるので、後の側壁移動工程が支障なく行える。
第３発明によれば、側壁仕上げ工程では、ＡＬＣを取付ける前に窓枠を取付けるので、窓枠の取付けが容易であり、塗装の前にＡＬＣを取付けるので、コーキング作業が容易に行える。
【図面の簡単な説明】
【０００９】
【図１】本発明の狭地建築工法における仮据付け工程の説明図である。
【図２】側壁仕上げ工程における窓枠の取付けを示す説明図である。
【図３】側壁仕上げ工程におけるＡＬＣの取付けを示す説明図である。
【図４】側壁仕上げ工程におけるコーキング作業の説明図である。
【図５】側壁仕上げ工程における塗装作業の説明図である。
【図６】側壁移動工程の説明図である。
【図７】本据付け工程の説明図である。
【図８】内部仕上げ工程の説明図である。
【図９】前壁仕上げ工程の説明図である。
【図１０】本発明の狭地建築工法で完成させた建物の斜視図である。
【発明を実施するための形態】
【００１０】
つぎに、本発明の実施形態を図面に基づき説明する。
図１〜図１０は本発明の狭地建築工法を工程順に説明する図である。
図１において、Ｇは建物を建てる地面であり、Ｆは前方境界線（道路等に面している）、Ｓは左右の境界線、Ｒは後方の境界線である。
Ｂは基礎の外延（二点鎖線図示）を示している。通常は二点鎖線で示す外延の内側に縦横に延びる基礎も工事されている。
左右の境界線Ｓ，Ｓは隣地の建物と接近しており、基礎Ｂの外延と隣地との間の隙間は、人が入れない程の狭い狭地を本図は図示している。
本明細書では、このような狭隘地に建物を建てる工法を狭地建築工法という。
【００１１】
（基礎工事工程）
図１の二点鎖線内に基礎Ｂを施工する工程である。二点鎖線で示す外延の外、内側にも通常必要とされる基礎（バス、台所、部屋間の壁を支える基礎）が工事される。基礎工事の方法は公知の工法が用いられる。
【００１２】
（仮据付け工程）
図１において、１，１は左右のフレームであり、鉄骨製である。図示の例では３階建てフレームであるが、１階または２階用、あるいは４階以上用のものであってもよい。このフレーム１，１は仮据付け工程の前に工場あるいは現場で組立てられたものである。但し、いわゆる骨組みの段階であって、窓やＡＬＣは取付けられていない。
【００１３】
上記フレーム１，１は既設の基礎Ｂの本来の据付け位置（これは最外側になる）より内側の位置、好ましくは作業員が体を入れられるスペースを取って、本来の建て幅よりも狭い位置に仮据付けされる。仮の据付けであるから、基礎Ｂ上の仮止めができる位置で、ボルト等を通して、後で外せるように固定すればよい。
なお、左右のフレーム１，１間は適当な仮止め棒２１を渡しかけて止め、フレーム１，１が倒れないようにしておくとよい。
【００１４】
（側壁仕上げ工程）
図２〜図５に示すように、フレーム１，１を側壁として完成させるための種々の工事が行われる。これらの工事を側壁仕上げ工程という。
図２は窓枠２の取付け、図３はＡＬＣ３（軽量気泡コンクリートパネル）の取付けを示している。図４は隣り合うＡＬＣ３の間の溝をコーキング４する作業を示している。図５は塗装作業を示している。図２〜図４において、足場６は示していないが、必要に応じ図５と同様に足場を用いればよい。
【００１５】
前記の側壁工事において、フレーム１，１と横境界線Ｓとの間は作業員が入ったり足場を立てるスペースが確保されているため、作業員が壁面に対面して作業することができる。したがって、腕だけを伸ばして無理な姿勢で作業せざるを得なかった従来工法に比べ、はるかに施工がやりやすい。このため、施工能率が高くなり、施工精度も良くなって後で雨漏りする等の不具合は生じなくなる。
【００１６】
（側壁移動工程）
側壁工事を終えた側壁１０は、図６に示すように、本来建てるべき建て幅の位置へ移動する。この移動には、クレーン車ＣＲ等を用いるのが便利であるが、他の方法をとってもよい。なお、移動に際して、仮止め棒２１は外される。
【００１７】
（本据付け工程）
左右の側壁１０，１０は本来据付けるべき基礎上に固定される。この固定には、基礎に植設したボルトをフレーム１，１に通して、ナット等で強固に固着すればよい。
なお、左右の側壁１０，１０は倒れないように、控え材２２等で支えておくとよい。
【００１８】
（その後の工程）
側壁１０，１０が本来の位置に立った後は、図８に示すように内部構造（柱１１や横梁１２）などを組付け、図９に示すように前面の壁１３を仕上げたり屋根１４をのせる等、一切の工事が施工される。
【００１９】
（完成）
上記の狭地工法で建立した建物ＢＬの一例を図１０に示す。同図に示すように、側面にほとんど余裕のない狭地でありながら、広い場所に建てる場合と同じように建物を建築することができる。
【符号の説明】
【００２０】
１    フレーム
２    窓枠
３    ＡＬＣ
４    コーキング
１０    側壁
【図１】
2010285744.tif 000003
【図２】
2010285744.tif 000004
【図３】
2010285744.tif 000005
【図４】
2010285744.tif 000006
【図５】
2010285744.tif 000007
【図６】
2010285744.tif 000008
【図７】
2010285744.tif 000009
【図８】
2010285744.tif 000010
【図９】
2010285744.tif 000011
【図１０】
2010285744.tif 000012